(57)【要約】      （修正有）【課題】部品点数を抑えかつ容易に装着可能な幌装置を提供する。【解決手段】幌装置は育児器具の本体に装着される幌アタッチメント３０と、幌アタッチメント３０に回動自在に設けられた幌回動部４０とを備えている。幌アタッチメント３０に第１幌骨２１が取り付けられ、幌回動部４０に第２幌骨２２が取り付けられている。【選択図】図５Ａ
2020199857.tif 000002
【特許請求の範囲】
【請求項１】
育児器具又はペット用カートに用いられ、育児器具の本体又はペット用カートの本体に装着される幌装置において、
前記育児器具の本体又は前記ペット用カートの本体に装着される幌アタッチメントと、
前記幌アタッチメントに回動自在に設けられた幌回動部とを備え、
前記幌アタッチメントには第１幌骨が取り付けられ、幌回動部には第２幌骨が取り付けられ、前記第１幌骨と前記第２幌骨との間に幌布が装着される、幌装置。
【請求項２】
前記育児器具の本体又は前記ペット用カートの本体に第１開口と第２開口が設けられ、前記幌アタッチメントに前記第１開口に挿着される第１取り付けピンと、前記第２開口に挿着される第２取り付けピンが設けられている、請求項１記載の幌装置。
【請求項３】
前記第１取り付けピンは、半径方向外方へ突出するとともに対向して設けられた一対の突起部を有し、前記第１開口は前記一対の突起部が挿入可能な一対の溝を有する、請求項２記載の幌装置。
【請求項４】
前記第２取り付けピンは、半径方向外方へ突出するとともに前記第１取り付けピンの前記一対の突起部より突出高さが小さく、かつ対向して設けられた一対の爪を有する、請求項３記載の幌装置。
【請求項５】
前記幌アタッチメントと前記幌回動部は、互いの間で位置決め構造を構成する、請求項１乃至４のいずれか記載の幌装置。
【請求項６】
前記位置決め構造は、前記幌アタッチメントに設けられた第１歯車と、前記幌回動部に設けられ、前記第１歯車と係合する第２歯車とを有する、請求項５記載の幌装置。
【請求項７】
請求項１乃至６のいずれかに記載された幌装置を備えた、育児器具。
【請求項８】
育児器具はチャイルドシートである、請求項７記載の育児器具。
【請求項９】
育児器具は乳母車である、請求項７記載の育児器具。
【請求項１０】
育児器具は乳幼児用ベッドアンドチェアである、請求項７記載の育児器具。
【請求項１１】
請求項１乃至６のいずれかに記載された幌装置を備えた、ペット用カート。
【発明の詳細な説明】
【技術分野】
【０００１】
本発明は、育児器具又はペット用カートに用いられる幌装置、育児器具およびペット用カートに関する。
【背景技術】
【０００２】
従来、乳母車やチャイルドシート等の育児器具や、ペット用カートには幌装置が設けられている。従来の幌装置は、通常、基部と、基部に揺動可能に取り付けられた複数の幌骨と、幌骨に装着された幌布と、を有している。幌骨は、略Ｕ字状に形成され、その両基端部をそれぞれ対応する側の基部に揺動可能に取り付けられている。この幌装置は、幌布の前端を把持して幌骨を基部に対して揺動させることにより、幌布を広げること及び幌布を畳むことができる。幌装置は、その広げられた状態において日差しや風雨を遮り、快適な環境を乳幼児に提供することができる。
【先行技術文献】
【特許文献】
【０００３】
【特許文献１】特開２０１２−１９２７５５号公報
【発明の概要】
【発明が解決しようとする課題】
【０００４】
このような従来の幌装置は、通常育児器具やペット用カートのヘッドレストに基部を装着し、この基部に対して複数の幌骨が回動自在に取り付けられている。
【０００５】
一般に幌装置の基部は、ヘッドレストにねじ止めされた固定部Ａと、この固定部Ａに取り付けられた一対の位置決め部材Ｂ，Ｃとを有し、一方の位置決め部材Ｂは固定部Ａに固着され、他方の位置決め部材Ｃは一方の位置決め部材Ｂに回動自在に設けられている。そして他方の位置決め部材Ｃが一方の位置決め部材Ｂに対して位置決め可能に回動する。また一方の位置決め部材Ｂに固定幌骨が取り付けられ、他方の位置決め部材Ｃに回動幌骨が取り付けられている。
【０００６】
このような幌装置は、その基部が少なくとも３つの部材を有し、またヘッドレストに対して基部を取り付ける作業が煩雑となっている。
【０００７】
本開示はこのような点を考慮してなされたものであり、部品点数を削減できかつ容易に幌装置を取り付けることができる、幌装置、育児器具、およびペット用カートを提供することを目的とする。
【課題を解決するための手段】
【０００８】
本開示は、育児器具又はペット用カートに用いられ、育児器具の本体又はペット用カートの本体に装着される幌装置において、前記育児器具の本体又は前記ペット用カートの本体に装着される幌アタッチメントと、前記幌アタッチメントに回動自在に設けられた幌回動部とを備え、前記幌アタッチメントには第１幌骨が取り付けられ、幌回動部には第２幌骨が取り付けられ、前記第１幌骨と前記第２幌骨との間に幌布が装着される、幌装置である。
【０００９】
本開示は、前記育児器具の本体又は前記ペット用カートの本体に第１開口と第２開口が設けられ、前記幌アタッチメントに前記第１開口に挿着される第１取り付けピンと、前記第２開口に挿着される第２取り付けピンが設けられている、幌装置である。
【００１０】
本開示は、前記第１取り付けピンは、半径方向外方へ突出するとともに対向して設けられた一対の突起部を有し、前記第１開口は前記一対の突起部が挿入可能な一対の溝を有する、幌装置である。
【００１１】
本開示は、前記第２取り付けピンは、半径方向外方へ突出するとともに前記第１取り付けピンの前記一対の突起部より突出高さが小さく、かつ対向して設けられた一対の爪を有する、幌装置である。
【００１２】
本開示は、前記幌アタッチメントと前記幌回動部は、互いの間で位置決め構造を構成する、幌装置である。
【００１３】
本開示は、前記位置決め構造は、前記幌アタッチメントに設けられた第１歯車と、前記幌回動部に設けられ、前記第１歯車と係合する第２歯車とを有する、幌装置である。
【００１４】
本開示は、上記記載された幌装置を備えた、育児器具である。
【００１５】
本開示は、育児器具はチャイルドシートである、育児器具である。
【００１６】
本開示は、育児器具は乳母車である、育児器具である。
【００１７】
本開示は、育児器具は乳幼児用ベッドアンドチェアである、育児器具である。
【００１８】
本開示は、上記記載された幌装置を備えた、ペット用カートである。
【発明の効果】
【００１９】
本開示によれば、幌装置の部品点数を削減することができ、かつ幌装置を容易に取り付けることができる。
【図面の簡単な説明】
【００２０】
【図１】図１は本実施の形態によるチャイルドシートおよび幌装置を示す斜視図であって、閉状態の幌装置を示す図。
【図２】図２は幌装置の装着作用を示す斜視図。
【図３】図３は幌装置の装着作用を示す拡大図。
【図４Ａ】図４Ａは幌アタッチメントと幌回動部を示す背面図。
【図４Ｂ】図４Ｂは図４ＡのＡ−Ａ線断面図。
【図４Ｃ】図４Ｃは幌アタッチメントと幌回動部を示す側面図。
【図４Ｄ】図４Ｄは図４ＣのＢ−Ｂ線断面図。
【図５Ａ】図５Ａはヘッドレストの側部外面に取り付けられた幌アタッチメントと幌回動部を示す斜視図。
【図５Ｂ】図５Ｂはヘッドレストの側部に取り付けられた幌アタッチメントと幌回動部を示すヘッドレストの側部外面を裏面側からみた斜視図。
【図６】図６はチャイルドシートおよび幌装置を示す斜視図であって、閉状態の幌装置を示す図。
【図７】図７は乳母車と幌装置を示す斜視図。
【図８】図８は乳幼児用ベッドアンドチェアと幌装置を示す斜視図。
【発明を実施するための形態】
【００２１】
＜本実施の形態＞
次に図面を参照して本開示の実施の形態について説明する。
【００２２】
ここで図１乃至図６は本実施の形態を示す図である。図１乃至図６に示すように、本実施の形態による幌装置２０は、育児器具、例えばチャイルドシート１に装着されている。ここで育児器具とはチャイルドシート以外に、乳母車、乳幼児用ベッドアンドチェア等の器具が挙げられ、典型的には子供（乳幼児、児童等の年少者）を育てる過程において子供を世話するために使用する器具である。本実施の形態において、育児器具としてチャイルドシート１を例にとって説明する。
【００２３】
すなわち図１に示すように、チャイルドシート１は、受台２と、受台２上にその姿勢が変化できるよう摺動可能に設けられたベース３と、ベース３上に回転自在に設けられた座席１０とを備えている。このうち、座席１０は座席フレーム１０Ａと、座席フレーム１０Ａ上に配置されたクッション材１１とを有する。また座席フレーム１０Ａには、乳幼児の頭部を保護するヘッドレスト１５が接続され、クッション材１１はこのヘッドレスト１５まで達している。
【００２４】
また座席１０のうち座席フレーム１０Ａの側部にはチャイルドシート１を把持可能な把手１７が設けられ、座席フレーム１０Ａは全体として座席カバー１０ａにより覆われている。
【００２５】
またクッション材１１の前面には、乳児を保護する保護ベルト１８が設けられている。
【００２６】
そして座席１０のヘッドレスト１５の側部外面１５Ａに、本実施の形態による幌装置２０が装着されている。なお、座席１０のヘッドレスト１５は、全体として、ヘッドレストカバー１５ａにより覆われている。ここで、幌装置２０が装着されるチャイルドシート１の座席１０が育児器具の本体となる。
【００２７】
チャイルドシート１は、車両、例えば自動車の座席上に配置されて使用される。チャイルドシート１は、大人を対象として設計された座席やシートベルトを含む車両に、子供を安全に乗車させることを可能にする装置である。限られたスペースとなる車両内において、容易且つ円滑に開閉操作を実施し得る幌装置２０は有用である。
【００２８】
なお、本明細書において、「前」、「後」、「上」および「下」の用語は、チャイルドシート１上の乳幼児を基準とした「前」、「後」、「上」および「下」を意味する。したがって、「前後方向」とは、図１における紙面の左下と右上とを結ぶ方向に相当する。そして、特に指示がない限り、「前」とは、乳幼児が向く側であり、図１における紙面の左下側が前後方向における前側となる。一方、「上下方向」とは前後方向に直交するとともにチャイルドシート１の接地面に直交する方向である。したがって、チャイルドシート１の接地面が水平面である場合、「上下方向」とは鉛直方向をさす。また、「幅方向」及び「横方向」とは、「前後方向」および「上下方向」のいずれにも直交する横方向である。
【００２９】
次に本実施の形態による幌装置２０について図１および図４Ａ乃至図６により説明する。
【００３０】
図１および図４Ａ乃至図６に示すように、幌装置２０はチャイルドシート１のヘッドレスト１５の側部外面１５Ａに装着される幌アタッチメント３０と、この幌アタッチメント３０に回動自在に設けられた幌回動部４０と、幌アタッチメント３０に取り付けられた第１幌骨２１と、幌回動部４０に取り付けられた第２幌骨２２と、これら第１幌骨２１と第２幌骨２２に装着された幌布２５とを有している。
【００３１】
このうち第１幌骨２１は幌アタッチメント３０に取り付けられた固定幌骨２１であり、第２幌骨２２は幌回動部４０に取り付けられた移動幌骨２２である。
【００３２】
図１および図６に示すように、第２幌骨２２が第１幌骨２１に対して揺動することにより、幌装置２０を開閉することができる。
【００３３】
ここで図１に示す状態では、第１幌骨２１及び第２幌骨２２は、互いに接近し且つ共に後方に位置している。すなわち、図１は、幌布２５が畳まれる幌装置２０の閉じた状態、とりわけ全閉状態を示している。図６に示す状態では、第１幌骨２１及び第２幌骨２２は、互いから離間している。すなわち、図６は、幌布２５が広げられる幌装置２０の開いた状態、とりわけ全開状態を示している。
【００３４】
以下、幌装置２０の各構成要素について説明していく。まず、幌布２５について説明する。幌布２５は、日差しや風雨を遮ることができる柔軟な材料、例えば布を用いて形成され得る。ただし、幌布２５には、種々の公知の材料を用いることができる。例えば、採光、通気、透視等を可能にする観点から、幌布２５の一部分が、メッシュ材等により形成されていてもよい。
【００３５】
幌布２５は、その後端部分において、第１幌骨２１に取り付けられている。幌布２５は、前端部分において、第２幌骨２２に取り付けられている。このような幌布２５の構成により、図１に示された幌装置２０の全閉状態において、第１幌骨２１と第２幌骨２２とが互いに接近し幌布２５を畳む。また図６に示された幌装置２０の全開状態に第１幌骨２１と第２幌骨２２とが互いに離間し、幌布２５が広げられる。
【００３６】
また、図６に示すように、幌装置２０が開いた状態において幌布２５が潰れてしまうことを防止するため、複数の補助芯材２３を幌布２５に縫い付けられる或いは幌布２５に内蔵されるようにしてもよい。補助芯材２３は、例えば、第１幌骨２１及び第２幌骨２２よりも柔軟性に富んだ樹脂等か形成され得る。補助芯材２３は、幌アタッチメント３０あるいは幌回動部４０と接続されていない点において、第１幌骨２１及び第２幌骨２２と区別される。
【００３７】
なお、幌布２５の大きさは、第１幌骨２１に対する第２幌骨２２の揺動可能範囲に応じて適宜設定される。好ましくは、幌装置２０の全開状態において、幌布２５が張った状態となる大きさに設定される。
【００３８】
次に、第１幌骨２１及び第２幌骨２２について説明する。図６に示すように、第１幌骨２１及び第２幌骨２２は、略Ｕ字状に形成されている。
【００３９】
なお第１幌骨２１は、金属や樹脂等の略細板形状や線形状からなり、後述する幌アタッチメント３０の接続部３５に固定される。
【００４０】
また第１幌骨２１と同様に、第２幌骨２２は、金属や樹脂等の略細板形状や線形状からなり、後述する幌回動部４０の接続部４５に固定される。
【００４１】
次に幌装置２０の幌アタッチメント３０と幌回動部４０について図４Ａ乃至図５Ｂにより説明する。
【００４２】
このうち幌アタッチメント３０は円形部３０ａと、この円形部３０ａに連設された細長部３０ｂとを有し、円形部３０ａには上述した第１幌骨２１が固定される接続部３５が接続されている。
【００４３】
また幌アタッチメント３０の円形部３０ａには後述するように、チャイルドシート１のヘッドレスト１５の側部外面１５Ａに形成された第１開口５１内に挿入される第１取り付けピン３２が設けられている。
【００４４】
また第１取り付けピン３２の外周には、半径方向外方へ突出する一対の突起部３２ａが形成されている。この一対の突起部３２ａは、第１取り付けピン３２の外周に対向して設けられている。
【００４５】
また幌アタッチメント３０の円形部３０ａには、外歯３１ａを有するリング状外歯車（第１歯車）３１が形成され、この幌アタッチメント３０の外歯車３１は後述する幌回動部４０の内歯４１ａを有する内歯車（第２歯車）４１に係合する。
【００４６】
さらに幌アタッチメント３０の細長部３０ｂには、後述するチャイルドシート１のヘッドレスト１５の側部外面１５Ａに形成された第２開口５２内に挿入される第２取り付けピン３３が設けられている。また第２取り付けピン３３の外周には、半径方向外方へ突出する一対の爪３３ａが形成され、この一対の爪３３ａは第２取り付けピン３３の外周に対向して設けられている。なお、第１取り付けピン３２に設けられた一対の突起部３２ａの突出高さは、第２取り付けピン３３に設けられた一対の爪３３ａの突出高さよりかなり大きくなっており、一対の爪３３ａは第２取り付けピン３３から半径方向外方へわずかに突出することになる。
【００４７】
また幌回動部４０は、幌アタッチメント３０に回動可能に設けられている。具体的には幌回動部４０はリング状の円形部４０ａを有し、この円形部４０ａには上述した第２幌骨２２が固定される接続部４５が接続されている。
【００４８】
また幌回動部４０の円形部４０ａの内周面には、幌アタッチメント３０の外歯３１ａを有する外歯車３１と係合する内歯４１ａを有する内歯車（第２歯車）４１が設けられている。さらに幌回動部４０の円形部４０ａには、幌アタッチメント３０の第１取り付けピン３２内に挿入される挿入ピン４６が設けられ、この挿入ピン４６は幌アタッチメント３０の第１取り付けピン３２内に回動自在に挿入されている。
【００４９】
ところで、幌アタッチメント３０および幌回動部４０はいずれも合成樹脂製の材料からなり、幌アタッチメント３０に対して幌回動部４０を回動させた際、幌回動部４０の内歯４１ａが順次幌アタッチメント３０の外歯３１ａを順次乗り越える。
【００５０】
このことにより、幌回動部４０の内歯４１ａが幌アタッチメント３０の外歯３１ａを乗り越えて幌回動部４０は幌アタッチメント３０に対して回動可能となるとともに、幌回動部４０の内歯４１ａが幌アタッチメント３０の外歯３１ａに係合して、幌回動部４０を幌アタッチメント３０に対して所定の回転位置に位置決めすることができる。この場合、幌アタッチメント３０の外歯車３１と、幌回動部４０の内歯車４１とにより幌回動部４０の位置決め機構が構成される。
【００５１】
ところで、チャイルドシート１のヘッドレスト１５の側部外面１５Ａには、上述のように第１取り付けピン３２が挿着される第１開口５１と、第２取り付けピン３３が挿着される第２開口５２が各々設けられている。
【００５２】
具体的にはヘッドレスト１５一対の側部外面１５Ａを有し、この側部外面１５Ａに第１開口５１と第２開口５２が各々設けられている（図２および図３、および図５Ａ乃至図５Ｂ参照）。ここで図２、図３および図５Ａはヘッドレスト１５の側部外面１５Ａを外面側からみた図であり、図５Ｂはヘッドレスト１５の側部外面１５Ａを裏面側からみた図である。
【００５３】
図２および図３、および図５Ａ乃至図５Ｂに示すように、第１開口５１はヘッドレスト１５の側部外面１５Ａを貫通して延び、この第１開口５１には第１取り付けピン３２の一対の突起部３２ａが挿入自在の一対の溝５１ａが形成されている。一対の溝５１ａは第１取り付けピン３２の一対の突起部３２ａに対応して、互いに１８０°ずつ離間して設けられている。
【００５４】
また第２開口５２はヘッドレスト１５の側部外面１５Ａを貫通して延び、第１開口５１より上方に位置している。
【００５５】
次にこのような構成からなる本実施の形態の作用について説明する。
【００５６】
まず、図２および図３により、チャイルドシートの本体となるチャイルドシート１の座席１０に幌装置２０を装着する作用について述べる。
【００５７】
ここで図２はチャイルドシート１の座席１０のうち、ヘッドレスト１５の側部外面１５Ａに幌装置２０を装着する作用を示す図であり、図３はヘッドレスト１５の側部外面１５Ａの拡大図である。
【００５８】
図２および図３に示すように、ヘッドレスト１５の側部外面１５Ａに形成された第１開口５１と第２開口５２は外方へ露出している。この状態で、幌装置２０を予め閉じておき、幌装置２０の幌アタッチメント３０と、この幌アタッチメント３０に回動自在に取り付けられた幌回動部４０をヘッドレスト１５の側部外面１５Ａへ接近させる。
【００５９】
次に幌アタッチメント３０の第１取り付けピン３２をヘッドレスト１５の側部外面１５Ａに設けられた第１開口５１内に挿入する。この場合、第１開口５１の一対の溝５１ａは第１開口５１の上下方向に設けられており、このため一対の第１取り付けピン３２は一対の突起部３２ａ，３２ａが上下方向に並ぶようにして第１開口５１内に挿入され、第１取り付けピン３２の一対の突起部３２ａ，３２ａは第１開口５１の一対の溝５１ａ内を通過する。
【００６０】
このようにして幌アタッチメント３０の第１取り付けピン３２がヘッドレスト１５の側部外面１５Ａの第１開口５１内に挿入される。この場合、上述のように幌アタッチメント３０の第１取り付けピン３２内に、幌回動部４０の挿入ピン４６が予め回転自在に挿入されている。
【００６１】
次に幌アタッチメント３０および幌回動部４０を第１取り付けピン３２を中心としてヘッドレスト１５の側部外面１５Ａに対して９０°回転させる。このとき第１取り付けピン３２の一対の突起部３２ａ，３２ａが水平方向に並ぶ。
【００６２】
次に幌アタッチメント３０と幌回動部４０をヘッドレスト１５の側部外面１５Ａに向かって押し付ける。このとき、幌アタッチメント３０の第２取り付けピン３３が第２開口５２内に挿入される。さらに幌アタッチメント３０と幌回動部４０をヘッドレスト１５の側部外面１５Ａに向かって押し付けることにより、第２取り付けピン３３の一対の爪３３ａが第２開口５２内を通り、ヘッドレスト１５の側部外面１５Ａの裏面に達する。
【００６３】
このように幌アタッチメント３０の第１取り付けピン３２の一対の突起部３２ａ，３２ａを水平方向に配置することにより、この一対の突起部３２ａ，３２ａは第１開口５１の上下方向に並ぶ一対の溝５１ａ，５１ａと９０°ずれることになり、このため第１取り付けピン３２がヘッドレスト１５の側部外面１５Ａから抜け出ることはない。
【００６４】
同様に幌アタッチメント３０の第２取り付けピン３３の一対の爪３３ａが第２開口５２内を通りヘッドレスト１５の側部外面１５Ａの裏面に達するため、第２取り付けピン３３がヘッドレスト１５の側部外面１５Ａから抜け出ることはない。
【００６５】
このようにして幌装置２０をヘッドレスト１５の側部外面１５Ａに容易に装着することができる。
【００６６】
そして幌装置２０を閉じる場合、第２幌骨２２を第１幌骨２１側へ揺動させ、第１幌骨２１と第２幌骨２２を互いに接近させて幌布２５を畳む（図１参照）。
【００６７】
次に幌装置２０を開く場合、第２幌骨２２を第１幌骨２１から引き離す方向へ揺動させる。
【００６８】
この場合、幌装置２０の幌アタッチメント３０に対して幌回動部４０が回動し、幌アタッチメント３０の外歯車３１外周に沿って、幌回動部４０の内歯車４１が回動する。このとき幌回動部４０の内歯４１ａが幌アタッチメント３０の外歯３１ａと順次係合していく。
【００６９】
次に第２幌骨２２が所望の回動位置にきたところで、第２幌骨２２の揺動を停止させる。このことにより、幌回動部４０の内歯４１ａが幌アタッチメント３０の外歯３１ａに係合して、幌回動部４０が幌アタッチメント３０に対して所定の回転位置に位置決めされ、第２幌骨２２が第１幌骨２１から所望の距離だけ離間して、幌布２５が拡げられ、幌装置２０が開となる。
【００７０】
ここで図６は幌装置２０が全開となった状態を示す図である。
【００７１】
以上のように本実施の形態によれば、幌装置２０はヘッドレスト１５の側部外面１５Ａに装着される幌アタッチメント３０と、この幌アタッチメント３０に回動自在に設けられた幌回動部４０とを備え、幌アタッチメント３０に第１幌骨２１と取り付けるとともに、幌回動部４０に第２幌骨２２を取り付けることができる。
【００７２】
また幌アタッチメント３０の外歯車３１と、幌回動部４０の内歯車４１とによって、幌アタッチメント３０に対する幌回動部４０に位置決め構造を構成することができる。このことにより、幌アタッチメント３０と、幌回動部４０と、それぞれに取り付けられた第１幌骨２１および第２幌骨２２とから幌装置２０を構成することが可能となり、きわめて少ない部品点数の幌装置２０を得ることができる。
【００７３】
さらに、幌アタッチメント３０に対して幌回動部４０を回動させることにより、容易かつ簡単に幌装置２０を開いたり、閉じたりすることができ、幌アタッチメント３０の外歯車３１と、幌回動部４０の内歯車４１とにより、第１幌骨２１に対して第２幌骨２２を容易に位置決めすることができる。
【００７４】
＜変形例＞
次に図７および図８により幌装置２０を他の育児器具、例えば乳母車あるいは乳幼児用ベッドアンドチェア等の器具に装着する例を示す。例えば図７に示すように、育児器具は乳母車６０からなっていてもよく、典型的には乳幼児が乗り込むスペースを有している。そして幌装置２０は、日差しや風雨等を遮って、乳母車６０上の子供に快適な環境を提供する。本実施の形態による幌装置２０は、開閉可能に構成され、且つ、開閉操作を容易且つ円滑に行うことができる工夫がなされている。
【００７５】
図７には、育児器具をなす乳母車６０の全体構成が示されている。図７に示すように、乳母車６０は、育児器具の本体をなす乳母車本体６１と、乳母車本体６１に取り付けられたクッション座部７５とを有している。また乳母車本体６１は、一対のアームレスト６２と、一対の前脚６３、一対の後脚６５、及び、Ｕ字状に形成されたハンドル６７を有している。一対のアームレスト６２は、幅方向に離間して配置され、一対の前脚６３は、幅方向に離間して配置されている。各前脚６３は、その上端部分において、アームレスト６２の前方部分と揺動可能に接続している。各前脚６３の下端には、前輪を回転可能に保持した前輪ユニット６４が取り付けられている。一対の後脚６５は、幅方向に離間して配置されている。各後脚６５は、その上端部分において、アームレスト６２の前方部分と揺動可能に接続している。各後脚６５には、後輪を回転可能に保持した後輪ユニット６６が設けられている。各アームレスト６２の後端部分には、側部連結部材６８が揺動可能に接続している。各側部連結部材６８の下端部分には、ブラケット６９が揺動可能に接続され、各ブラケット６９は、後脚６５に揺動可能に接続している。ハンドル６７は、Ｕ字の両端部分を、対応する側に配置された側部連結部材６８及びブラケット６９と揺動可能に接続されている。
【００７６】
また乳母車本体６１上にクッション座部７５が設けられ、このクッション座部７５の背部には側部外面１５Ａを有するヘッドレスト１５が設けられている。
【００７７】
そして、図７に示す変形例において、ヘッドレスト１５には、その側部外面１５Ａ側に、図１乃至図６に示す実施の形態で説明した幌装置２０と同一構成をもつ幌装置２０が取り付けられている。
【００７８】
すなわち、幌装置２０は乳母車６０のヘッドレスト１５の側部外面１５Ａに装着される幌アタッチメント３０と、この幌アタッチメント３０に回動自在に設けられた幌回動部４０と、幌アタッチメント３０に取り付けられた第１幌骨２１と、幌回動部４０に取り付けられた第２幌骨２２と、これら第１幌骨２１と第２幌骨２２に装着された幌布２５とを有している。
【００７９】
このうち第１幌骨２１は幌アタッチメント３０に取り付けられた固定幌骨２１であり、第２幌骨２２は幌回動部４０に取り付けられた移動幌骨２２である（図１および図４Ａ乃至図６参照）。
【００８０】
あるいはまた育児器具としてチャイルドシートあるいは乳母車を用いる代わりに、乳幼児用ベッドアンドチェア等の器具を用い、このベッドアンドチェアに幌装置２０を装着してもよい。
【００８１】
すなわち図８に示すように、乳幼児用ベッドアンドチェアは育児器具の本体をなすベッドアンドチェア本体を有し、このベッドアンドチェア本体９１にはヘッドレスト９５が設けられている。そしてヘッドレスト９５の側部外面９５Ａに、図１乃至図６に示す実施の形態で説明した幌装置２０と同一構成をもつ幌装置２０を取り付けてもよい。
【００８２】
すなわち、幌装置２０は乳幼児用ベッドアンドチェア９０のヘッドレスト９５の側部外面９５Ａに装着される幌アタッチメント３０と、この幌アタッチメント３０に回動自在に設けられた幌回動部４０と、幌アタッチメント３０に取り付けられた第１幌骨２１と、幌回動部４０に取り付けられた第２幌骨２２と、これら第１幌骨２１と第２幌骨２２に装着された幌布２５とを有している。
【００８３】
このうち第１幌骨２１は幌アタッチメント３０に取り付けられた固定幌骨２１であり、第２幌骨２２は幌回動部４０に取り付けられた移動幌骨２２である（図１および図４Ａ乃至図６参照）。
なお、上述した例では、ヘッドレスト９５の側部外面９５Ａに幌装置２０を取付けた例について説明したが、ベッドアンドチェア本体９１の側部外面に幌装置２０を取り付けるようにしても良い。
【００８４】
上記実施の形態および変形例において、チャイルドシート、乳母車、あるいは乳幼児用ベッドアンドチェア等の育児器具に本実施の形態の幌装置を装着した例を示したが、これに限らずペット用カートに本実施の形態による幌装置を装着してもよい。
【００８５】
この場合、ペット用カート本体に、図１乃至図６に示す実施の形態で説明した幌装置２０と同一構造をもつ幌装置２０が装着される。
【符号の説明】
【００８６】
１  チャイルドシート
２  受台
３  ベース
１０  座席
１０Ａ  座席フレーム
１１  クッション材
１５  ヘッドレスト
１５Ａ  側部外面
１８  保護ベルト
２０  幌装置
２１  第１幌骨
２２  第２幌骨
２５  幌布
３０  幌アタッチメント
３０ａ  円形部
３０ｂ  細長部
３１  外歯車
３１ａ  外歯
３２  第１取り付けピン
３２ａ  突起部
３３  第２取り付けピン
３３ａ  爪
３５  接続部
４０  幌回動部
４０ａ  円形部
４１  内歯車
４１ａ  内歯
４５  接続部
５１  第１開口
５１ａ  溝
５２  第２開口
６０  乳母車
９０  ベッドアンドチェア
【図１】
2020199857.tif 000003
【図２】
2020199857.tif 000004
【図３】
2020199857.tif 000005
【図４Ａ】
2020199857.tif 000006
【図４Ｂ】
2020199857.tif 000007
【図４Ｃ】
2020199857.tif 000008
【図４Ｄ】
2020199857.tif 000009
【図５Ａ】
2020199857.tif 000010
【図５Ｂ】
2020199857.tif 000011
【図６】
2020199857.tif 000012
【図７】
2020199857.tif 000013
【図８】
2020199857.tif 000014